(57)【要約】【課題】複数の編集者によって編集可能な図面データを、高い信頼性を確保して管理することのできる図面管理システム及び管理方法を提供する。【解決手段】ＣＡＤ図面登録手段５７を用いて、データ記憶装置３４にＣＡＤ図面データＤｃａｄ及び図面属性データＤａｔｔを登録した後、ＣＡＤ図面編集手段５９によりＣＡＤ図面データＤｃａｄの編集処理を行う際、他の作業者により編集中であるか否かを、編集権限設定手段６１によって図面属性データＤａｔｔに設定される当該ＣＡＤ図面データＤｃａｄのＣＡＤフラグを確認し、編集中でない場合には、ＣＡＤフラグを設定して編集権限を取得し、特定の編集者のみによるＣＡＤ図面データＤｃａｄの編集処理を行う。【選択図】図２
2008003670.tif 000002
【特許請求の範囲】
【請求項１】
図面データを、前記図面データに係る図面属性データとともに蓄積する図面蓄積手段と、
前記図面蓄積手段に蓄積された前記図面データを、前記図面属性データに基づいて検索する図面検索手段と、
前記図面検索手段によって検索された前記図面データを編集する図面編集手段と、
前記図面編集手段により編集される前記図面データに対して、特定の編集者のみによる編集処理を許容するための編集権限を設定する編集権限設定手段と、
を備え、前記編集権限が設定された前記図面データを編集することを特徴とする図面管理システム。
【請求項２】
請求項１記載のシステムにおいて、
前記図面データは、ＣＡＤ（コンピュータ支援設計）図面データを含むことを特徴とする図面管理システム。
【請求項３】
請求項１記載のシステムにおいて、
前記図面データに対して設定された前記編集権限を解除する編集権限解除手段を備えることを特徴とする図面管理システム。
【請求項４】
請求項１記載のシステムにおいて、
前記図面属性データは、前記編集権限設定手段によって設定された編集権限に係るデータを有することを特徴とする図面管理システム。
【請求項５】
請求項１記載のシステムにおいて、
前記図面属性データは、前記図面編集手段によって編集された前記図面データの編集履歴データを有することを特徴とする図面管理システム。
【請求項６】
図面蓄積手段に蓄積されている図面データを、前記図面データに係る図面属性データに基づいて検索するステップと、
検索された前記図面データに対して、特定の編集者のみによる編集処理を許容するための編集権限を設定するステップと、
検索された前記図面データの中、前記編集権限が設定された前記図面データを編集するステップと、
を有することを特徴とする図面管理方法。
【請求項７】
請求項６記載の方法において、
編集された前記図面データの前記編集権限を解除するステップを有することを特徴とする図面管理方法。
【発明の詳細な説明】
【技術分野】
【０００１】
本発明は、図面データをデータベースとして蓄積管理するとともに、蓄積された図面データを検索して編集する図面管理システム及び管理方法に関する。
【背景技術】
【０００２】
従来から、多数の設計図面や仕様書等をスキャナにより読み込んで得られた図面データ、あるいは、ＣＡＤ装置（コンピュータ支援設計装置）を用いて作成されたＣＡＤ図面データを、デジタルデータとしてハードディスク、ＣＤ−ＲＯＭ、ＤＶＤ等の大容量の記憶媒体に記憶させておき、必要なときに検索条件を設定して所望の設計図面等を検索し、改訂等の編集処理を行うようにしたシステムがある（特許文献１参照）。
【０００３】
【特許文献１】特開平６−２４３１８２号公報
【発明の開示】
【発明が解決しようとする課題】
【０００４】
しかしながら、従来のシステムでは、記憶媒体に蓄積されている図面データに対する管理が各個人に委ねられているのが現状であり、例えば、同一の図面データを複数の編集者が編集処理する等の事態が発生すると、図面データの管理状態が混乱し、信頼性が低下する不具合が生じてしまう。
【０００５】
本発明は、前記の課題を解決するためになされたものであり、複数の編集者によって編集可能な図面データを、高い信頼性を確保して管理することのできる図面管理システム及び管理方法を提供することを目的とする。
【課題を解決するための手段】
【０００６】
本発明の図面管理システムは、図面データを、前記図面データに係る図面属性データとともに蓄積する図面蓄積手段と、
前記図面蓄積手段に蓄積された前記図面データを、前記図面属性データに基づいて検索する図面検索手段と、
前記図面検索手段によって検索された前記図面データを編集する図面編集手段と、
前記図面編集手段により編集される前記図面データに対して、特定の編集者のみによる編集処理を許容するための編集権限を設定する編集権限設定手段と、
を備え、前記編集権限が設定された前記図面データを編集することを特徴とする。
【０００７】
また、本発明の図面管理方法は、図面蓄積手段に蓄積されている図面データを、前記図面データに係る図面属性データに基づいて検索するステップと、
検索された前記図面データに対して、特定の編集者のみによる編集処理を許容するための編集権限を設定するステップと、
検索された前記図面データの中、前記編集権限が設定された前記図面データを編集するステップと、
を有することを特徴とする。
【発明の効果】
【０００８】
本発明の図面管理システム及び管理方法では、図面データに対する編集処理を行う場合、特定の編集者のみに編集権限を設定し、他の編集者による当該図面データに対する編集処理を禁止することにより、重複した編集処理や、重複した図面データの登録を回避し、高い信頼性を確保して図面データを管理することができる。また、編集された図面データに対して編集履歴データを付与することにより、図面データの編集履歴を管理することもできる。
【発明を実施するための最良の形態】
【０００９】
図１は、本実施形態の図面管理システム１０の全体構成を示し、図２は、その要部構成ブロック図を示す。
【００１０】
図面管理システム１０は、図面登録装置１２、図面情報編集装置１４、図面情報蓄積装置１６（図面蓄積手段）、図面保存処理装置１８、図面復元処理装置１９、図面登録・検索装置２０、図面作成装置２２、及び、出力装置２４Ａ、２４Ｂがネットワーク２６を介して相互に接続されて構成される。
【００１１】
図面登録装置１２は、接続されているスキャナ２８を用いて紙図面３０又はＣＡＤ図面３１を読み込み、間引き処理等の圧縮処理を施していない紙図面データＤｏｒｇ、又は、ＣＡＤ図面３１を低い解像度で読み込んで得られるデータ量の少ないＣＡＤ図面スキャンデータＤｓｃｎとしてデータ記憶装置３２に登録する。データ記憶装置３２には、紙図面データＤｏｒｇ及びＣＡＤ図面スキャンデータＤｓｃｎが登録されるとともに、図面情報編集装置１４によって編集された図面属性データＤａｔｔが登録される。
【００１２】
なお、紙図面３０とは、製図機器等を用いて紙上に直接作成された図面であり、機器や設備の構成、回路図面等を記載した図面だけでなく、設備工事に係る検討書、計算書、見積書等のあらゆる紙書類の文書イメージも含まれる。また、ＣＡＤ図面３１とは、ＣＡＤ（コンピュータ支援設計）装置である図面作成装置２２により作成されて紙上に出力された図面である。図面属性データＤａｔｔとは、紙図面３０又はＣＡＤ図面３１を特定するＩＤ番号、図面名称、紙図面３０又はＣＡＤ図面３１に対応する部門やライン等の部署情報、紙図面３０又はＣＡＤ図面３１の作成年月日、紙図面３０又はＣＡＤ図面３１の担当者名等のデータである。
【００１３】
図面情報編集装置１４は、図面登録装置１２を制御して紙図面３０又はＣＡＤ図面３１の登録処理や編集処理を行うとともに、図面情報蓄積装置１６を制御し、図面情報蓄積装置１６に接続されたデータ記憶装置３４に、紙図面データＤｏｒｇ、紙図面圧縮データＤｃｏｍ、ＣＡＤ図面スキャンデータＤｓｃｎ、図面属性データＤａｔｔ、図面番号マスタテーブルＭＴ１、汎用コードマスタテーブルＭＴ２を含む種々のデータを蓄積する処理を行う。
【００１４】
紙図面圧縮データＤｃｏｍは、紙図面データＤｏｒｇに対して間引き処理等の圧縮処理を施したデータである。図面番号マスタテーブルＭＴ１は、紙図面３０及びＣＡＤ図面３１に対して図面番号を重複することなく設定するための管理テーブルであり、図面登録に先立つ図面番号を含む図面予約データを格納する。汎用コードマスタテーブルＭＴ２は、図面属性データＤａｔｔを設定及び検索するためのキーワードの管理テーブルであり、キーワードとして、例えば、登録する図面の種類、担当者の氏名、図面に対応する部署情報等を格納する。
【００１５】
図面情報蓄積装置１６は、上記の各データに加えて、図面作成装置２２で作成されたＣＡＤ図面データＤｃａｄと、ＣＡＤ図面データＤｃａｄを編集した際の履歴図面データＤｐａｓとを蓄積する。
【００１６】
図面保存処理装置１８は、ＣＤ−ＲＯＭ等を介してマイクロフイルム５０に、紙図面３０及びＣＡＤ図面３１を画像形式でそのまま保存するとともに、これらの図面に関連する図面属性データＤａｔｔを復元可能な可視化されたコード形式で保存する処理を行う装置である。
【００１７】
図面復元処理装置１９は、マイクロフイルム５０に記録された情報を読み込み、図面属性データＤａｔｔと、紙図面３０及びＣＡＤ図面３１とを復元させる処理を行う装置である。
【００１８】
図面登録・検索装置２０は、紙図面３０又はＣＡＤ図面３１の図面情報蓄積装置１６への登録及び検索を行う作業者毎に配置されるコンピュータであり、図面の登録を予約する予約機能と、図面予約データに基づいて、図面属性データＤａｔｔの登録、登録依頼票の作成、ＣＡＤ図面３１の登録編集処理を行う登録機能と、所望の図面を検索する図面検索機能と、登録された複数の図面からなる工事報告書である完成報告書を検索する完成報告書検索機能とを備える。
【００１９】
予約機能は、データ記憶装置３４に格納された図面番号マスタテーブルＭＴ１を用いて、登録したい図面の図面番号を重複することなく予め予約する図面予約手段５８を備える。
【００２０】
登録機能は、図面予約手段５８により予約済みの図面番号に対して、図面の図面属性データＤａｔｔを登録する図面属性データ登録手段６０と、登録された図面属性データＤａｔｔに基づき、出力装置２４Ａから登録依頼票６２（図１）を出力する登録依頼票出力手段６４と、図面作成装置２２によって作成されたＣＡＤ図面３１の登録処理を行うＣＡＤ図面登録手段５７と、登録されているＣＡＤ図面３１の編集処理を行うＣＡＤ図面編集手段５９（図面編集手段）と、ＣＡＤ図面３１の編集に際して作業者に編集権限を設定する編集権限設定手段６１（編集権限解除手段）とを備える。なお、登録依頼票６２は、紙図面３０の登録作業を依頼し、あるいは、紙図面３０及びＣＡＤ図面３１の検図、承認を依頼するため、登録する図面とともに登録作業者又は検図承認者に提供されるものである。
【００２１】
図面検索機能は、所望の図面検索条件を設定し、その図面検索条件に該当する図面属性データＤａｔｔを有する紙図面３０又はＣＡＤ図面３１をデータ記憶装置３４から検索する図面検索手段６６と、検索された紙図面３０を図面圧縮画像データＤｃｏｍから生成し、又は、検索されたＣＡＤ図面３１をＣＡＤ図面スキャンデータＤｓｃｎから生成し、図面属性データＤａｔｔとともに表示する検索図面表示処理手段６８と、検索図面表示処理手段６８により表示されたデータ量の少ない紙図面３０又はＣＡＤ図面３１を、紙図面データＤｏｒｇ又はＣＡＤ図面データＤｃａｄを用いた詳細な紙図面３０又はＣＡＤ図面３１として表示する選択図面表示処理手段７０と、選択図面表示処理手段７０により表示された紙図面３０又はＣＡＤ図面３１を出力装置２４Ｂから出力する選択図面出力手段７２とを備える。
【００２２】
完成報告書検索機能は、所望の工事検索条件を設定し、その工事検索条件に該当する図面属性データＤａｔｔを有する完成報告書を検索する完成報告書検索手段７４を備える。なお、検索された完成報告書は、出力装置２４Ｂから出力させることができる。
【００２３】
図面作成装置２２は、ＣＡＤ装置から構成される。図面作成装置２２によって作成されたＣＡＤ図面３１に係るＣＡＤ図面データＤｃａｄは、ＣＡＤデータ記憶装置２３に記憶される。また、このＣＡＤ図面データＤｃａｄは、図面登録・検索装置２０を構成するＣＡＤ図面登録手段５７及びＣＡＤ図面編集手段５９を用いて登録、編集処理が行われ、図面属性データＤａｔｔとともにデータ記憶装置３４に蓄積される。
【００２４】
本実施形態の図面管理システム１０は、基本的には以上のように構成されるものであり、次に、この図面管理システム１０を用いたＣＡＤ図面３１の新規登録処理につき、図３に示すフローチャートに基づいて説明する。
【００２５】
先ず、図面作成装置２２を用いてＣＡＤ図面３１を作成する（ステップＳ１）。作成されたＣＡＤ図面３１に係るＣＡＤ図面データＤｃａｄは、ＣＡＤデータ記憶装置２３に記憶される。
【００２６】
次いで、図面登録・検索装置２０を用いて、登録するＣＡＤ図面３１の図面番号を予約する（ステップＳ２）。
【００２７】
この場合、図面登録・検索装置２０のモニタには、図４に示すメニュー画面８０が表示されている。「番号予約」ボタンを選択すると、図５に示す図面番号予約画面８２が表示される。作業者は、この図面番号予約画面８２を用いて図面番号の予約を行う。
【００２８】
そこで、データ記憶装置３４の汎用コードマスタテーブルＭＴ２に設定されている情報を用いて、ＣＡＤ図面３１が関係する設備である部門の情報及びラインの情報を入力すると、図面予約手段５８は、データ記憶装置３４に格納されている図面番号マスタテーブルＭＴ１及び図面属性データＤａｔｔを用いて、例えば、部門がＢ部、ラインがＬ３における図面番号の予約情報を表示する。
【００２９】
例えば、他の作業者によって既に予約されている図面番号Ｄ−Ｌ３−００８８は、図面名称の欄に「予約」と表示されるため、当該作業者が使用することはできない。また、図面番号Ｄ−Ｌ３−００８９は、設計区分、工程、装置、図面名称、作成日、担当の各欄に図面属性データＤａｔｔである各情報が表示されていることから、既にＣＡＤ図面３１が登録されている図面番号である。従って、作業者は、これらの図面番号以外、例えば、図面番号Ｄ−Ｌ３−０１１１以降の番号を選択することになる。
【００３０】
予約可能な図面番号を登録に必要なＣＡＤ図面３１の数だけ選択するとともに、予約者の氏名を入力し、「予約」ボタンを選択することにより、図面番号の予約処理が完了する。
【００３１】
次に、図面番号予約画面８２を閉じて、図６に示す登録依頼票６２を表示し、予約機能によって予約された各図面番号に対して、必要な図面属性データＤａｔｔの登録作業を行う（ステップＳ３）。例えば、設計区分、ＣＡＤ図面３１を作成したメーカー名、ＣＡＤ図面３１の対象となる工事番号、設計者、作成年月日、各ＣＡＤ図面３１の図面枚数、図面サイズ等の各図面属性データＤａｔｔを入力する。
【００３２】
この場合、図面属性データＤａｔｔの入力作業は、データ記憶装置３４の汎用コードマスタテーブルＭＴ２に登録されているキーワードの選択によって行われるため、作業者毎に異なる形式で図面属性データＤａｔｔが入力されてしまう事態を回避することができる。
【００３３】
以上のようにして図面属性データＤａｔｔを登録した後、登録依頼票６２を出力装置２４Ａから出力する（ステップＳ４）。また、図面作成装置２２のＣＡＤデータ記憶装置２３に記憶されているＣＡＤ図面データＤｃａｄに対してステップＳ２で予約した図面番号をファイル名として設定した後、出力装置２４Ａを用いて、登録依頼票６２に登録されているＣＡＤ図面３１を出力する（ステップＳ５）。
【００３４】
作業者は、出力された登録依頼票６２の担当の欄にサインをし、登録依頼票６２を登録するＣＡＤ図面３１に添付して検図承認者に提出する。検図承認者は、当該ＣＡＤ図面３１の内容を確認し、登録依頼票６２の承認の欄にサインする（ステップＳ６）。
【００３５】
検図承認者によって承認されたＣＡＤ図面３１は、登録依頼票６２とともに図面登録者に渡され、ＣＡＤ図面３１の登録作業が行われる。図面登録者は、図面情報編集装置１４を用いて、登録するＣＡＤ図面３１に応じた図面読込条件を設定し、スキャナ２８によりＣＡＤ図面３１及び登録依頼票６２の読込処理を行う（ステップＳ７）。この場合、ＣＡＤデータ記憶装置２３には、高い解像度からなるＣＡＤ図面データＤｃａｄが既に記憶されているため、スキャナ２８によるＣＡＤ図面３１の読み込み処理は、低い解像度で行われる。ＣＡＤ図面３１を読み込むことで得られたＣＡＤ図面スキャンデータＤｓｃｎは、一旦データ記憶装置３２に記憶される。
【００３６】
次に、図面登録・検索装置２０を用いて、図面作成装置２２で作成されたＣＡＤ図面３１に係るＣＡＤ図面データＤｃａｄ、図面登録装置１２によって登録されたＣＡＤ図面スキャンデータＤｓｃｎ、及び、これらのデータに係る図面属性データＤａｔｔによって構成されるＣＡＤファイルの登録処理を開始する（ステップＳ８）。
【００３７】
そこで、図４に示すメニュー画面８０において、「登録」ボタンの選択に次いで、「ＣＡＤファイル」ボタンを選択すると、図７に示すＣＡＤファイル登録画面８３が表示される。作業者は、ＣＡＤファイル登録画面８３において、ＣＡＤ図面データＤｃａｄが格納されているフォルダ、例えば、フォルダ名Ｌ３を選択し、表示されたＣＡＤファイルから登録するＣＡＤファイルを選択した後、「登録対象ファイルの取得」ボタンを選択する。
【００３８】
「登録対象ファイルの取得」ボタンが選択されると、図面登録・検索装置２０のＣＡＤ図面登録手段５７は、作業者によって選択されたＣＡＤファイルに必要な図面属性データＤａｔｔが図面管理システム１０に既に登録されているか否かを判定し（ステップＳ９）、図面属性データＤａｔｔが登録されている場合には、その図面属性データＤａｔｔに係るＣＡＤ図面データＤｃａｄが図面作成装置２２のＣＡＤデータ記憶装置２３内に存在するか否かを判定し（ステップＳ１０）、ＣＡＤ図面データＤｃａｄがＣＡＤデータ記憶装置２３内に存在する場合には、図面情報蓄積装置１６のデータ記憶装置３４に、ＣＡＤデータ記憶装置２３内のファイル名と同一名のＣＡＤファイルが存在するか否かを判定する（ステップＳ１１）。
【００３９】
この場合、登録対象ファイル一覧表８４の「移動」欄には、図面属性データＤａｔｔ及びＣＡＤ図面データＤｃａｄが有り、且つ、同一名のＣＡＤファイルがデータ記憶装置３４に無いときは○、図面属性データＤａｔｔ及びＣＡＤ図面データＤｃａｄが無いときは×、データ記憶装置３４に同一名のＣＡＤファイルが有るときは△の印が表示される。
【００４０】
次いで、作業者がＣＡＤファイル登録画面８３の「ファイル移動とＤＢ登録」ボタンを選択すると、ＣＡＤ図面登録手段５７は、「移動」欄に○の印が表示されているＣＡＤファイルのみを選択し、選択されたＣＡＤファイルに係る図面属性データＤａｔｔ、ＣＡＤ図面データＤｃａｄ及びＣＡＤ図面スキャンデータＤｓｃｎを図面情報蓄積装置１６のデータ記憶装置３４に移動し、格納する（ステップＳ１２）。このとき、図面登録・検索装置２０の編集権限設定手段６１は、データ記憶装置３４に格納される当該ＣＡＤファイルの図面属性データＤａｔｔを構成するＣＡＤフラグＦを１に設定することで、当該ＣＡＤファイルに対する作業者による編集権限を解除する（ステップＳ１３）。この結果、当該ＣＡＤファイルに対して、任意の作業者が編集処理を行うことが可能な状態となる。
【００４１】
次に、データ記憶装置３４に格納されているＣＡＤファイルの改訂編集処理につき、図８に示すフローチャートに基づいて説明する。
【００４２】
先ず、図面登録・検索装置２０のモニタに表示されているメニュー画面８０から「検索」ボタンを選択し、次いで、「ＣＡＤファイル」ボタンを選択すると、図９に示す検索条件入力画面９２が表示される。作業者が検索条件入力画面９２に必要な検索条件を入力し、「検索実行」ボタンを選択すると、図面検索手段６６による検索処理が開始される（ステップＳ２１）。
【００４３】
図面検索手段６６は、検索条件に一致するＣＡＤファイルをデータ記憶装置３４から検索し（ステップＳ２２）、その検索結果を図１０に示すＣＡＤファイル編集画面９４として表示する（ステップＳ２３）。この場合、ＣＡＤファイル編集画面９４には、検索条件に一致するＣＡＤファイルを構成するＣＡＤ図面スキャンデータＤｓｃｎから作成されたＣＡＤ図面９５と、検索されたＣＡＤファイルを構成する図面属性データＤａｔｔからなる図面属性データ一覧９６と、検索されたＣＡＤファイルに対して設定されている編集権限情報一覧９８とが表示される。
【００４４】
ＣＡＤ図面９５は、データ量の少ないＣＡＤ図面スキャンデータＤｓｃｎから作成されており、ＣＡＤファイル編集画面９４に表示されているスクロールバー１００を操作することで、高速にスクロール表示することができる。なお、ＣＡＤファイル編集画面９４に表示されているＣＡＤ図面９５の図面属性データＤａｔｔは、図面属性データ一覧９６及び編集権限情報一覧９８によって確認することができる。
【００４５】
編集権限情報一覧９８は、検索されたＣＡＤファイルに対して設定されている編集権限の情報、例えば、ＣＡＤファイルを編集する編集者の名前、編集期間、ＣＡＤファイルの図面番号を表示する。
【００４６】
作業者は、ＣＡＤファイル編集画面９４に表示されるＣＡＤ図面９５をスクロールして改訂編集する図面を選択した後、「編集届」ボタンを選択し、編集期間を含む当該ＣＡＤ図面９５に対する編集権限の登録を行う（ステップＳ２４）。
【００４７】
編集権限設定手段６１は、選択されたＣＡＤ図面９５の図面属性データＤａｔｔとして設定されているＣＡＤフラグＦをチェックし、例えば、ＣＡＤ図面３１の新規登録時にＣＡＤフラグＦが１に設定され（ステップＳ１３）、当該ＣＡＤ図面９５に係るＣＡＤ図面データＤｃａｄが他の作業者によって編集作業中でない場合、ＣＡＤフラグＦを０とし、当該ＣＡＤ図面９５に対する編集権限を現作業者に付与する（ステップＳ２５）。なお、ＣＡＤフラグＦが０に設定されたＣＡＤ図面９５は、編集権限のない他の作業者が編集処理を行うことができない。従って、当該ＣＡＤ図面９５に対する重複した編集処理が行われる事態を回避することができる。
【００４８】
ＣＡＤフラグＦが０に設定されたＣＡＤファイルは、データ記憶装置３４のバックアップフォルダに履歴図面データＤｐａｓとしてバックアップされる（ステップＳ２６）。ＣＡＤファイルがデータ記憶装置３４にバックアップされた後（ステップＳ２７）、元のＣＡＤファイルが図面作成装置２２に移動され、当該ＣＡＤ図面９５に対する編集処理が行われる（ステップＳ２８）。
【００４９】
なお、メニュー画面８０から「検索」ボタンを選択するとともに、「図面」ボタンを選択し、検索結果として図１１に示す個別図面閲覧画面１０２を表示させた後、「ＣＡＤ図編集」ボタンを選択して編集権限を登録し、次いで、「ＣＡＤ図」ボタンを選択してＣＡＤ図面データＤｃａｄを編集するアプリケーションを起動し、図面登録・検索装置２０においてＣＡＤ図面データＤｃａｄの編集処理を行うようにしてもよい。
【００５０】
ＣＡＤ図面を改訂編集した後、ＣＡＤ図面３１を新規に登録する場合と同様にして図面番号を予約し（ステップＳ２９）、次いで、図面属性データＤａｔｔを編集する（ステップＳ３０）。この場合、図面属性データＤａｔｔとして、元のＣＡＤファイルに対する編集履歴データであるバージョン情報を設定することができる。
【００５１】
また、改訂編集されたＣＡＤ図面３１の登録依頼票を作成するとともに（ステップＳ３１）、ＣＡＤ図面３１を紙に出力した後（ステップＳ３２）、検図承認者の承認を得（ステップＳ３３）、スキャナ２８によってＣＡＤ図面３１を読み込み（ステップＳ３４）、ＣＡＤファイルのデータ記憶装置３４への登録処理を行う（ステップＳ３５）。
【００５２】
ＣＡＤファイルを登録する場合、当該ＣＡＤファイルの図面属性データＤａｔｔ及びＣＡＤ図面データＤｃａｄが有り（ステップＳ３６、Ｓ３７）、同一名のＣＡＤファイルがＣＡＤデータ記憶装置３４に無ければ（ステップＳ３８）、当該ＣＡＤファイルに係る図面属性データＤａｔｔ、ＣＡＤ図面データＤｃａｄ及びＣＡＤ図面スキャンデータＤｓｃｎをＣＡＤデータ記憶装置３４に格納した後（ステップＳ３９）、編集権限を解除するため、ＣＡＤフラグＦを１に変更する（ステップＳ４０）。従って、登録された当該ＣＡＤファイルに対しては、他の作業者が編集処理を行うことが可能な状態となる。
【００５３】
なお、上述した図面管理システム１０では、ＣＡＤ図面３１に係るＣＡＤ図面データＤｃａｄをデータ記憶装置３４に登録し、必要に応じてＣＡＤ図面データＤｃａｄの検索処理及び改訂編集処理を行うとともに、紙図面３０に係る紙図面データＤｏｒｇをデータ記憶装置３４に登録し、ＣＡＤ図面データＤｃａｄ及び紙図面圧縮データＤｃｏｍの双方を検索処理することもできる。
【００５４】
紙図面３０の場合には、スキャナ２８を用いて紙図面３０を読み込み、得られた紙図面データＤｏｒｇ及びその図面属性データＤａｔｔをデータ記憶装置３４に登録するとともに、紙図面データＤｏｒｇを図面情報編集装置１４により圧縮した紙図面圧縮データＤｃｏｍをデータ記憶装置３４に登録する。そして、紙図面３０を検索する場合には、紙図面圧縮データＤｃｏｍに基づく圧縮画像を画面に表示させてスクロールすることにより、所望の紙図面３０を高速に検索することができる。
【図面の簡単な説明】
【００５５】
【図１】本実施形態の図面管理システムの全体構成図である。
【図２】本実施形態の図面管理システムを構成する要部装置の機能ブロック図である。
【図３】ＣＡＤ図面の登録処理のフローチャートである。
【図４】図面登録・検索装置のモニタに表示されるメニュー画面の説明図である。
【図５】図面登録・検索装置のモニタに表示される図面番号予約画面の説明図である。
【図６】図面登録・検索装置によって作成される登録依頼票の説明図である。
【図７】図面登録・検索装置２０のモニタに表示されるＣＡＤファイル登録画面の説明図である。
【図８】ＣＡＤファイルの編集処理のフローチャートである。
【図９】図面登録・検索装置のモニタに表示される検索条件入力画面の説明図である。
【図１０】図面登録・検索装置のモニタに表示されるＣＡＤファイル編集画面の説明図である。
【図１１】図面登録・検索装置のモニタに表示される個別図面閲覧画面の説明図である。
【符号の説明】
【００５６】
１０…図面管理システム        １２…図面登録装置
１４…図面情報編集装置        １６…図面情報蓄積装置
１８…図面保存処理装置        １９…図面復元処理装置
２０…図面登録・検索装置      ２２…図面作成装置
２３…ＣＡＤデータ記憶装置    ２４Ａ、２４Ｂ…出力装置
２６…ネットワーク            ２８…スキャナ
３０…紙図面                  ３１…ＣＡＤ図面
３２、３４…データ記憶装置    ５７…ＣＡＤ図面登録手段
５８…図面予約手段            ５９…ＣＡＤ図面編集手段
６０…図面属性データ登録手段  ６１…編集権限設定手段
６４…登録依頼票出力手段      ６６…図面検索手段
６８…検索図面表示処理手段
【図１】
2008003670.tif 000003
【図２】
2008003670.tif 000004
【図３】
2008003670.tif 000005
【図４】
2008003670.tif 000006
【図５】
2008003670.tif 000007
【図６】
2008003670.tif 000008
【図７】
2008003670.tif 000009
【図８】
2008003670.tif 000010
【図９】
2008003670.tif 000011
【図１０】
2008003670.tif 000012
【図１１】
2008003670.tif 000013